(57)【特許請求の範囲】
【請求項１】
酸素ガス供給部と水蒸気供給部とバイオマス供給装置とが炉壁に設けられ、炉内で水性ガス反応を生起するガス化炉であって、
前記バイオマス供給装置は、基端側にバイオマス投入口が形成され先端側が前記炉壁に接続された筒状のケーシングと、前記筒状のケーシングに内挿されたスクリュー羽根とを備え、前記バイオマス投入口に投入されたバイオマスを炉内に搬送供給するように構成され、搬送方向に沿って前記筒状のケーシングとスクリュー羽根の１ピッチ間で形成される区間の容積が基端側と比較して先端側で大きくなるように構成され、前記スクリュー羽根の支軸が前記スクリュー羽根の長さより短く構成されているガス化炉。
【請求項２】
前記スクリュー羽根のピッチが基端側と比較して先端側で長くなるように構成されている請求項１記載のガス化炉。
【請求項３】
前記スクリュー羽根のピッチが基端側と比較して中間部で短くなり先端側で長くなるように構成されている請求項１記載のガス化炉。
【請求項４】
前記スクリュー羽根の先端が前記炉壁の内壁近傍まで延出形成されている請求項１から３の何れかに記載のガス化炉。
【請求項５】
前記スクリュー羽根の先端が前記炉壁の内側に突出形成されている請求項１から３の何れかに記載のガス化炉。
【請求項６】
搬送方向に沿って前記筒状のケーシング及び前記スクリュー羽根の径が基端側と比較して先端側で大きくなるように構成されている請求項１から５の何れかに記載のガス化炉。
【請求項７】
前記炉壁で囲まれる炉本体は竪形に形成され、前記バイオマス供給装置は前記水蒸気供給部より上方位置で前記炉壁に接続されている請求項１から６の何れかに記載のガス化炉。
【請求項８】
前記炉壁の外側が断熱材で覆われ、前記スクリュー羽根のうち少なくとも前記支軸より先端側が断熱材に覆われている請求項１から７の何れかに記載のガス化炉。
【発明の詳細な説明】
【技術分野】
【０００１】
本発明は、バイオマスからエネルギーの原料となるガスを得るガス化炉に関する。
【背景技術】
【０００２】
バイオマスは再生可能な生物由来の有機性資源で化石資源を除いたものをいう。バイオマスが燃焼することにより放出されるＣＯ２は、本来、生物の成長過程で光合成により大気中から吸収したＣＯ２であることから、地球温暖化の原因物質とはならないこともあり、再生可能なエネルギー源として注目されている。
【０００３】
従来、さとうきびやトウモロコシ等の可食原料を発酵、ろ過してアルコールに転換し、代替燃料として利用する技術が確立されていたが、そのために可食原料の不足や価格の高騰を招く等の虞のあることから、近年、稲わら、もみ殻、木くず等の非可食原料をガス化炉に投入して水性ガス反応によりガス化し、得られたガスをＦＴ合成により液体燃料化する技術が注目されている。
【０００４】
一般に、バイオマスと水蒸気から一酸化炭素と水素を生成する水性ガス反応は吸熱反応であり、当該反応を促進するためにガス化炉の炉内温度は５００℃〜１２００℃に維持されている。
【０００５】
特許文献１には、大気圧存在下の被移送物を負圧雰囲気の容器内に特別のシール装置を設けることなく移送することを目的とするゴミ焼却炉に用いるスクリューフィーダ装置が開示されている。当該スクリューフィーダ装置は、スクリューを排出口より少なくとも投入口側において欠除させている。そのため、被移送物は、後方から移送されてくる被移送物の押圧力のみにより移送され、そして、ケーシング内で圧密にされることで、圧密状態が促進され保持される。その結果、大気圧下の被移送物を負圧下の容器内に移送するにあたって、スクリューフィーダ装置内で圧密された被移送物により十分なシールを行うことができる効果があると記載されている。
【０００６】
また、特許文献２には、バイオマスの粉粒体を定量供給する粉粒体供給装置が開示されている。当該粉粒体供給装置は、貯蔵する粉粒体を水平方向に沿って移送すると共に、移送された当該粉粒体を下方の開口部から送出させるホッパーと、ホッパーの開口部へ基端側が連結され、粉粒体を圧縮することなく先端側から送出する第一のスクリューフィーダと、第一のスクリューフィーダの先端側へ基端側が連結され、先端側を粉粒体で塞ぎながら当該粉粒体を先端側から送出する第二のスクリューフィーダとを備えている。
【０００７】
第二のスクリューフィーダは、先端側のピッチ間隔を基端側よりも先端側ほど小さくなるように設定したスクリューを備え、或いは先端側の羽根高さを基端側よりも先端側ほど小さくなるように設定したスクリューを備え、当該スクリューの羽根高さに対応させて、先端側の直径を基端側よりも先端側ほど小さくなるようにテーパー状に形成されたケーシングを備えている。ケーシングの先端側をバイオマスで塞ぎながら当該バイオマスをケーシングの先端側から送出するように構成されている。
【０００８】
そのため、ケーシングの内部とガス化炉の内部とをバイオマスで仕切ることができ、ガス化炉内のガス化剤が押し込みスクリューフィーダ内に逆流しにくくすることができると共に、シールガス送給装置から押し込みスクリューフィーダを介してガス化炉内に流出するシールガスの量を非常に少なくすることができる。
【先行技術文献】
【特許文献】
【０００９】
【特許文献１】特開平９−１７５６２６号公報
【特許文献２】特開２００４−５１２５８号公報
【発明の概要】
【発明が解決しようとする課題】
【００１０】
しかし、特許文献１に記載されたスクリューフィーダ装置を高温のガス化炉に用いると、スクリューフィーダの先端部から炉内に落下供給された後にスクリュー羽根のケーシング先端に形成される空洞部が高温に晒されて、ケーシング内の一部のバイオマスがガス化炉内に投入される前に熱分解されて固着し、或いは発生したタールがケーシングの内壁に付着して成長し、或いはバイオマスがタールや水蒸気の結露で濡れて固着するため、そのような状況が継続するとやがてスクリューフィーダが閉塞するという問題があった。ケーシング内の温度は炉内より若干低いため、タールや水蒸気が冷却されて付着固化するのである。
【００１１】
特許文献２に記載されたスクリューフィーダは、ケーシングの先端側ほどバイオマスが圧密化されるようにスクリュー羽根のピッチが先端側ほど狭く構成され、あるいはケーシングが先端側ほど縮径されているため、シール性は優れるものの、ケーシングの内部先端側でバイオマスが熱分解して発生したタール成分がバイオマスに浸潤して温度低下することで塊状化して閉塞する虞があった。
【００１２】
特にスクリューフィーダを間歇運転する場合には、停止時に塊状化が進んで次次作動する際に大きなトルクが発生して機械的な破損を招く虞もあった。
【００１３】
本発明の目的は、上述した問題点に鑑み、タール等による内部の詰りや供給不良を引き起こすことなく、バイオマスを安定して供給することが可能なバイオマス供給装置を備えたガス化炉を提供する点にある。
【課題を解決するための手段】
【００１４】
上述の目的を達成するため、本発明によるガス化炉の第一の特徴構成は、特許請求の範囲の書類の請求項１に記載した通り、酸素ガス供給部と水蒸気供給部とバイオマス供給装置とが炉壁に設けられ、炉内で水性ガス反応を生起するガス化炉であって、前記バイオマス供給装置は、基端側にバイオマス投入口が形成され先端側が前記炉壁に接続された筒状のケーシングと、前記筒状のケーシングに内挿されたスクリュー羽根とを備え、前記バイオマス投入口に投入されたバイオマスを炉内に搬送供給するように構成され、搬送方向に沿って前記筒状のケーシングとスクリュー羽根の１ピッチ間で形成される区間の容積が基端側と比較して先端側で大きくなるように構成され、前記スクリュー羽根の支軸が前記スクリュー羽根の長さより短く構成されている点にある。
【００１５】
筒状のケーシングとスクリュー羽根とで区画される空間にバイオマスが充填され搬送され、当該空間に充填されるバイオマスによって炉内に外気が流入しないようにシールされる。スクリュー羽根の支軸がスクリュー羽根の長さより短く構成されているので、スクリュー羽根の支軸の先端が、炉壁から基端側に控えられ、高温に晒されにくくなる。それにより、スクリュー羽根の支軸へのタールや水蒸気の結露を原因としたバイオマスの凝集付着が起きにくくなる。また、筒状のケーシングの先端側ではスクリュー羽根の支軸がないため、筒状のケーシングの先端側のバイオマスの充填率は、いっそう小さくなり、それにより、筒状のケーシングの先端側のバイオマスは、筒状のケーシングに凝集付着しにくくなり、安定して炉内に供給することができるようになる。
【００１６】
また、単位長さ当たりの容積が基端側と比較して先端側で大きくなるので、筒状のケーシングの先端側に搬送されたバイオマスは基端側で圧密化された状態から先端側に搬送され開放されて解れた状態になる。筒状のケーシングの先端側で高温に晒された一部のバイオマスが熱分解されても、それほど圧密化されていないため、その周囲のバイオマスにタールが浸潤するまでに炉内に搬送されるようになる。また、一部のバイオマスがタールや水蒸気に濡れても、スクリュー羽根で炉内に搬送されるようになる。
【００１７】
同第二の特徴構成は、同請求項２に記載した通り、上述の第一の特徴構成に加えて、前記スクリュー羽根のピッチが基端側と比較して先端側で長くなるように構成されている点にある。
【００１８】
上述の構成によれば、筒状のケーシング内を搬送されるバイオマスの充填率は、筒状のケーシングの基端側より先端側で小さくなり、それにより、筒状のケーシングの基端側では、圧密のバイオマスによりシール性が確保されると同時に、圧密にされない筒状のケーシングの先端側のバイオマスは、筒状のケーシングに凝集付着しにくくなり、安定して炉内に供給することができるようになる。
【００１９】
同第三の特徴構成は、同請求項３に記載した通り、上述の第一の特徴構成に加えて、前記スクリュー羽根のピッチが基端側と比較して中間部で短くなり先端側で長くなるように構成されている点にある。
【００２０】
上述の構成によれば、筒状のケーシング内を移動するバイオマスの充填率は、筒状のケーシングの基端側より先端側で小さくなる。それにより、筒状のケーシングの先端側の圧密されない解れたバイオマスは、筒状のケーシングに凝集付着しにくくなり、安定して炉内に供給することができるようになる。さらに、筒状のケーシングの中間部のバイオマスの充填率は、基端側のそれより大きくなるため、シール効果が増し、ガス化炉内への外気の流入や、ガス化炉内のガス化剤の逆流を抑制することができる。
【００２１】
同第四の特徴構成は、同請求項４に記載した通り、上述の第一から第三の何れかの特徴構成に加えて、前記スクリュー羽根の先端が前記炉壁の内壁近傍まで延出形成されている点にある。
【００２２】
上述の構成によれば、スクリュー羽根の先端が炉壁の内壁近傍まで延出形成されているため、スクリュー羽根によりバイオマスを機械的に直接押し出して炉内に供給できるようになる。また、炉壁の内壁近傍の筒状のケーシングの内壁にタール等が付着し、筒状のケーシングが閉塞するような事態となった場合であっても、筒状のケーシングに内挿され回転するスクリュー羽根により付着したタール等を剥ぎ取ることが可能である。そもそもスクリュー羽根が回転していることで、筒状のケーシングの内壁にはタール等が付着しにくくなっている。よって、バイオマスを定量的に確実に供給できるようになる。
【００２３】
同第五の特徴構成は、同請求項５に記載した通り、上述の第一から第三の何れかの特徴構成に加えて、前記スクリュー羽根の先端が前記炉壁の内側に突出形成されている点にある。
【００２４】
上述の構成によれば、スクリュー羽根の先端が炉壁の内側にまで突出形成されているため、上述の第五の特徴構成によるものと同様の作用効果を、より確実に発揮できるようになる。
【００２５】
同第六の特徴構成は、同請求項６に記載した通り、上述の第一から第五の何れかの特徴構成に加えて、搬送方向に沿って前記筒状のケーシング及び前記スクリュー羽根の径が基端側と比較して先端側で大きくなるように構成されている点にある。
【００２６】
上述の構成によれば、筒状のケーシング内を搬送されるバイオマスの充填率を、筒状のケーシングの基端側より先端側で小さくすることが可能である。それにより、筒状のケーシングの基端側で、圧密のバイオマスによりシール性が確保されると同時に、筒状のケーシングの先端側の圧密にされないバイオマスが、タール等により凝集し筒状のケーシングに付着しにくくなり、バイオマスを炉内に安定して供給することができるようになる。
【００２７】
同第七の特徴構成は、同請求項７に記載した通り、上述の第一から第六の何れかの特徴構成に加えて、前記炉壁で囲まれる炉本体は竪形に形成され、前記バイオマス供給装置は前記水蒸気供給部より上方位置で前記炉壁に接続されている点にある。
【００２８】
上述の構成によれば、竪形の炉本体の炉壁に接続された水蒸気供給部より上方位置にあるバイオマス供給装置から炉内に供給されるバイオマスは、水蒸気供給部から供給される高温に熱せられた水蒸気の下方からの噴流により高効率で水性ガス反応をする。
【００２９】
同第八の特徴構成は、同請求項８に記載した通り、上述の第一から第七の何れかの特徴構成に加えて、前記炉壁の外側が断熱材で覆われ、前記スクリュー羽根のうち少なくとも前記支軸より先端側が断熱材に覆われている点にある。
【００３０】
上述の構成によれば、スクリュー羽根の支軸は高温になりにくくなり、それによって、スクリュー羽根の劣化を抑制できる。また、スクリュー羽根の冷却機構の負荷を低減できるようになる。
【発明の効果】
【００３１】
以上説明した通り、本発明によれば、タール等による内部の詰りや供給不良を引き起こすことなく、バイオマスを安定して供給することが可能なバイオマス供給装置を備えたガス化炉を提供することができるようになった。
【図面の簡単な説明】
【００３２】
【図１】本発明によるガス化炉の一部切欠き説明図
【図２】（ａ）は本発明によるガス化炉の要部説明図、（ｂ）は（ａ）のＡ−Ａ線断面図
【図３】供給量制御機構の説明図
【図４】（ａ），（ｂ），（ｃ）はバイオマスのガス化反応の説明図、（ｄ）は実験結果を示す表
【図５】（ａ），（ｂ），（ｃ），（ｄ）は別実施形態を示す本発明によるガス化炉の要部説明図
【図６】（ａ），（ｂ），（ｃ）は本発明によるガス化炉に用いられるバイオマス供給装置の説明図
【図７】本発明によるガス化炉が組み込まれたバイオマスの液体燃料化システムの説明図
【図８】本発明によるガス化炉が組み込まれたエネルギー生成システムの説明図
【発明を実施するための形態】
【００３３】
以下、本発明によるガス化炉の実施形態を説明する。
図７に示すように、本発明によるガス化炉１０は、バイオマスを原料にして生成される合成ガスから液体燃料を生成する液体燃料化システム１００に組み込まれることが可能なガス化炉である。尚、当該ガス化炉１０で生成される合成ガスは、発電や他の熱源としても利用可能である。
【００３４】
液体燃料化システム（ＢＴＬシステム）１００は、バイオマスから液体燃料の原料となる合成ガスを生成するガス化炉１０、生成された合成ガスから灰分等の固形物、硫化水素ガスや塩化水素ガス、アンモニア等を除去するサイクロン、スクラバー、活性炭吸着塔等からなるガス精製装置２０４を経て精製された合成ガスから燃料を合成するＦＴ合成装置１０４を備えている。
【００３５】
ガス化炉１０は、炉温が５００℃以上１０００℃以下の高温下で、バイオマスを水蒸気或いは過熱水蒸気で還元加熱して合成ガス（Ｈ２、ＣＯ）を生成する反応塔を備えている。反応塔で得られた合成ガスが後段のガス精製装置２０４で精製され、不純物が除去された後にヒータ及び圧縮機を介して高温高圧に加熱及び加圧されてＦＴ合成装置１０４に投入される。
【００３６】
ＦＴ合成とは、Ｆｉｓｃｈｅｒ−Ｔｒｏｐｓｃｈ合成の略で、一酸化炭素と水素から触媒反応を用いて液体炭化水素を合成する一連の合成反応プロセスを指す。ＦＴ合成装置１０４に投入された合成ガスは、触媒が分散された溶媒中に投入されて所望の炭化水素に合成される。触媒の種類や性状により変化するが、例えば、メタノールを合成する場合には、水素と一酸化炭素の比率Ｈ２／ＣＯは約２であることが好ましい場合もある。また本実施形態で軽油を合成する場合には水素と一酸化炭素の比率Ｈ２／ＣＯは約１であることが好ましい。
【００３７】
つまり、ＦＴ合成で所望の炭化水素を効率的に得るために、水素と一酸化炭素の比率Ｈ２／ＣＯが調整されていることが好ましく、この比率は同じ種類の炭化水素を得る場合でもＦＴ合成で使用される触媒の種類にも依存する。
【００３８】
従って、様々な比率Ｈ２／ＣＯで合成ガスが得られる汎用性の高いガス化炉１０が望まれ、また合成ガスの収率が高くコンパクトなガス化炉１０が望まれている。
【００３９】
図１には、本発明によるガス化炉１０の一例が示されている。
ガス化炉１０は、フレームで支持され、耐食性の金属で構成された縦型円筒形状の反応塔４と、反応塔４にバイオマスを供給するバイオマス供給装置２と、水性ガス反応を生起するための水蒸気を反応塔４に供給する水蒸気供給部３と、反応塔４を所望の温度に加熱するとともに合成ガスである水素と一酸化炭素の比率Ｈ２／ＣＯを調整する酸素ガス供給部５（５ａ，５ｂ，５ｃ）とが設けられている。
【００４０】
例えば高周波加熱等により常圧で約５００℃程度に加熱された水蒸気とバイオマスとが反応塔４の内部で水性ガス反応や、水性ガスシフト反応して、反応塔４上部の排気口４０から排気され、排気管４２を経て上述したガス精製装置２０４（図７参照）に導かれる。水性ガス反応は主に反応塔４の下部で、水性ガスシフト反応は主に反応塔４を上昇する過程で生じる。ガス精製装置２０４（図７参照）には誘引送風機が設けられ、反応塔４内部が負圧に維持され、反応塔４内で生成されたガスがガス精製装置２０４（図７参照）に誘引されて精製される。
【００４１】
バイオマス供給装置２は一端が反応塔４の下方にフランジ接続された筒状のケーシング２０と筒状のケーシング２０に収容されたスクリュー羽根２１とを備えたスクリューコンベア機構で構成され、筒状のケーシング２０（以下、単に「ケーシング」と記す。）の他端側にバイオマスの投入口２２が設けられている。投入口２２には略鉛直姿勢の搬送路７０が接続され、その搬送路７０の上端に定量供給機構７１を備えたホッパー７が設けられている。
【００４２】
原料となるバイオマスとして稲わら、もみ殻、麦わら、トウモロコシの茎葉等の乾燥系のバイオマスが好適に用いられる。数ｍｍ程度に破砕されたこれらの乾燥系のバイオマスがホッパー７に充填され、搬送路７０を介して投入口２２に搬送される。投入口２２に投入されたバイオマスはスクリュー羽根２１で圧密に搬送されて反応塔４に投入される。つまり、ケーシング２０内が充填され圧密化されたバイオマスで外気と反応塔４内部との間がシールされる。
【００４３】
バイオマス供給装置２の下方に第１酸素ガス供給部５（５ａ）が設けられ、第１酸素ガス供給部５（５ａ）の下方に水蒸気供給部３が設けられている。バイオマス供給装置２の上方にはさらに他の複数の酸素ガス供給部５（５ｂ，５ｃ）が上下方向位置を異ならせて設けられている。
【００４４】
反応塔４には、塔内温度を維持するために反応塔４を囲むように断熱壁Ｗが設置されている。断熱壁Ｗの内側、特に反応塔４の下方には反応塔４を所望の温度に維持するために複数のヒータＨが埋め込まれている（図２（ｂ）参照）。
【００４５】
図２（ａ）に示すように、バイオマス供給装置２から反応塔４の内部に供給されたバイオマスＢは水蒸気供給部３の先端部に設けられたノズル３０から噴射される水蒸気により反応塔４の内部で流動する噴流床８が形成される。
【００４６】
ノズル３０の開口３０ａが反応塔４の底部４１に向かって噴射され、底部４１に向かって落下したまたは落下中のバイオマスを巻き上げながら上方に吹き上げる。反応塔４の下部の噴流床８が形成される領域が主に水性ガス反応が行なわれる第１領域Ｒ１となる。更に第１領域の上方に主に水性ガスシフト反応が行なわれる第２領域Ｒ２（図１参照）が形成される。
【００４７】
水性ガス反応とは、次式に示すように、５００℃以上の高温環境下でバイオマスである固体炭素Ｃと水蒸気Ｈ２Ｏとから一酸化炭素ＣＯと水素Ｈ２が生成される吸熱反応をいう。
Ｃ＋Ｈ２Ｏ  →  ＣＯ＋Ｈ２
【００４８】
水性ガスシフト反応とは、次式に示すように、８００℃以上の高温環境下で一酸化炭素ＣＯと水蒸気Ｈ２Ｏとから二酸化炭素ＣＯ２と水素Ｈ２が生成される発熱反応をいう。
ＣＯ＋Ｈ２Ｏ  →  ＣＯ２＋Ｈ２
【００４９】
吸熱反応である水性ガス反応が５００℃以上の高温環境下で促進されるために加熱源が必要になる。そのため、上述したヒータＨ及び酸素ガス供給部５（５ａ）が設けられている。
【００５０】
図２（ｂ）に示すように、反応塔４が断熱壁Ｗで囲まれた状態でヒータＨに通電されることにより、反応塔４の内部が５００℃以上に加熱される。
【００５１】
図２（ａ）に戻り、その後、第１酸素ガス供給部５（５ａ）から供給される酸素ガスにより第１領域Ｒ１で流動しているバイオマスＢの一部が燃焼して二酸化炭素になる発熱反応によって高温の環境温度が維持されるようになる。図２（ａ）で黒く塗りつぶされた粒子が燃焼したバイオマスである。つまり、ヒータＨからの外部加熱やバイオマスＢの一部の燃焼による内部加熱により温度が維持される。
Ｃ＋Ｏ２  →  ＣＯ２ 
Ｃ＋１／２・Ｏ２  →  ＣＯ  
【００５２】
第１領域Ｒ１のうちバイオマス供給装置２の上方にも第２酸素ガス供給部５（５ｂ）が設けられ、第２酸素ガス供給部５（５ｂ）から供給される酸素によってもバイオマスが部分燃焼して環境温度が維持される。もちろんこれらの酸素ガス供給部５から供給される酸素ガス量は安定した水性ガス反応が行なわれるために十分な量でありバイオマスの殆どが燃焼して消失するような量ではない。
【００５３】
バイオマス供給装置２から供給されたバイオマスＢは加熱されることなく反応塔４に供給され、反応塔４内の下方へ落下するので、噴流床の最下部近傍の温度が最も低くなる。そのため、この近傍に第１酸素ガス供給部５（５ａ）が配置されることが重要となる。また、第１領域の内バイオマス供給装置２の上方でも十分な環境温度を維持するため第２酸素ガス供給部５（５ｂ）の位置も重要となる。何故なら、基本的にヒータＨは立上げ時の熱源として用いられ、その後は酸素ガスとバイオマスＢの燃焼反応で環境温度が維持されるように構成されているからである。
【００５４】
つまり、水蒸気供給部３はガスの流れ方向に沿ってバイオマス供給装置２より上流（図２では下方）に配置され、酸素ガス供給部５のうち第１領域Ｒ１に対応する酸素ガス供給部５ａは、少なくともバイオマス供給装置２より上流側に配置されている。
【００５５】
さらに、酸素ガス供給部５のうち第１領域Ｒ１に対応する酸素ガス供給部５ｂは、バイオマス供給装置２の下流側にさらに配置され、水蒸気供給部３は何れの酸素ガス供給部５より上流側に配置されている。
【００５６】
第１領域Ｒ１でバイオマスから生成された合成ガス及びチャーや灰はそのガス流れ方向下流側の第２領域Ｒ２に上昇して上述した水性ガスシフト反応が促進される。第２領域Ｒ２の入口部に先端が下方を向くように第３酸素ガス供給部５（５ｃ）が配置され、第３酸素ガス供給部５（５ｃ）から供給される酸素ガスにより水性ガス反応で生成された一酸化炭素の一部が燃焼する。
ＣＯ＋１／２・Ｏ２  →  ＣＯ２
【００５７】
第２領域で主に行われる水性ガスシフト反応は発熱反応であるため、第３酸素ガス供給部５（５ｃ）から供給される酸素ガスは環境温度の維持よりもむしろ水性ガス反応で生成される一酸化炭素と水素の比率の調整の意義が大きい。一酸化炭素の燃焼量が増せばそれだけ水素ガスの比率が大きくなるためである。
【００５８】
尚、水性ガスシフト反応に必要な水蒸気は水蒸気供給部３から供給され、第１領域で水性ガス反応に寄与しなかった水蒸気が消費される。また、第３酸素ガス供給部５（５ｃ）から供給される酸素ガスは燃焼して二酸化炭素になるだけであるため、反応塔４を上昇するガス流量は大きく変化することが無い。
【００５９】
第１領域で生成されたガスとバイオマスまたはチャーや灰は第１領域Ｒ１と第２領域Ｒ２との間で連通部４３を介して移動可能に構成されている。
【００６０】
上述したように水蒸気供給部３から供給される水蒸気により水性ガス反応と水性ガスシフト反応に必要な水が供給されるとともに、第１領域でバイオマスの噴流床が形成されるように水蒸気の流量が調整されている。
【００６１】
具体的に、第２領域Ｒ２のガス流速を第１領域Ｒ１のガス流速よりも低下させるガス流速調整部ｃが連通部４３に形成されている。ガス流速調整部ｃは、内部のガス流に直交する平均断面積（図１においては紙面に直交する平面の反応塔の面積）が第１領域Ｒ１より第２領域Ｒ２の方が大きくなるように拡径形成された反応塔４の形状により具現化されている。
【００６２】
この拡径は第１領域Ｒ１から第２領域Ｒ２へのガス流れを乱さないように、縮径することなく滑らかに拡径するとともに、拡径部にバイオマスや残渣が堆積しないように、鋭角に立ち上がるように形成されている。
【００６３】
第１領域Ｒ１で生成されたガスが第２領域に到達すると、拡径形成された反応塔４の形状により、その上昇速度が低下し、ガスに同伴した未反応のバイオマスがバイオマス自体の重量で第１領域に落下するように設定されている。つまり、未反応のバイオマスの殆どが第１領域Ｒ１で水性ガス反応の原料となり、或いは酸素ガスにより燃焼して灰化される。灰化されると比重が小さくなり、水蒸気供給部３からの水蒸気により生じる噴流床でこの灰化したバイオマスの残渣残差も巻き上げられ、ガスに同伴して第２領域Ｒ２に上昇して排気口４０からガスとともに排気される。従って、排気口４０以外に残渣を取り出す専用の残差排出部を設ける必要がない。
【００６４】
上述したガス流速調整部ｃにより第２領域Ｒ２を流れるガスの流速は十分に低下するため、水性ガスシフト反応のための時間は十分に確保できるようになる。従って、第２領域Ｒ２の長さをそれほど稼ぐ必要がなく、反応塔４がコンパクトに構成できるようになる。
【００６５】
このように、反応塔４内に主に水性ガス反応が行なわれる第１領域Ｒ１と、主に水性ガスシフト反応が行なわれる第２領域Ｒ２をガス流れに沿って形成し、ガス化された軽量の灰を第２領域から排出することで、第１領域Ｒ１と第２領域Ｒ２とが別の装置でなく一体で構成され、コンパクトなガス化炉を得ることができる。
【００６６】
図６（ａ），（ｂ），（ｃ）に基づいてバイオマス供給装置２について詳述する。
既に説明したが、バイオマス供給装置２は、基端側にバイオマス投入口２２が形成され先端側がガス化炉１の炉壁に接続されたケーシング２０と、ケーシング２０に内挿されたスクリュー羽根２１とを備え、バイオマス投入口２２に投入されたバイオマスをガス化炉１０（反応塔４）の内部に搬送供給するように構成されている。
【００６７】
図６（ａ）に示すように、ケーシング２０の基端側で、スクリュー羽根２１を支持する支軸２ｃを回転駆動する電動モータ２ｄの駆動軸が歯車やプーリーからなる減速機構を介して連結されている。
【００６８】
ケーシング２０に内挿されたスクリュー羽根２１が電動モータ２ｄの駆動により回転することにより、バイオマス投入口に投入されたバイオマスは、スクリュー羽根２１に押されてケーシング２０内を徐々に移動し、ケーシング２０の先端側から炉内に搬送供給される。
【００６９】
搬送方向に沿ってケーシング２０とスクリュー羽根２１の１ピッチ間で形成される区間の容積が基端側と比較して先端側で大きくなるように構成されている。具体的に、スクリュー羽根２１のピッチが基端側と比較して先端側で長くなるように構成されている。スクリュー羽根２１のピッチを基端側から先端側に次第に長くなるように構成されていてもよい。さらに区間を区切ってピッチが段階的に長くなるように構成されていてもよい。ケーシング２０の内でタールが生成されやすい３００〜４００℃に昇温される部位辺りからピッチを長くなるように構成されることが好ましい。
【００７０】
ケーシング２０とスクリュー羽根２１とで区画される空間にバイオマスが充填され搬送され、当該空間に充填されるバイオマスによって炉内に外気が流入しないようにシールされる。単位長さ当たりの容積が基端側と比較して先端側で大きくなるので、ケーシング２０のバイオマスは基端側で圧密化された状態から先端側に搬送され、開放されて解れた状態になる。
【００７１】
ガス化炉１の反応塔４内は５００℃以上の高温状態に維持され、ケーシング２０の先端側では、常時５００℃以上の高温に晒されている。３００〜４００℃を超えるところではバイオマスが熱分解されてタールが生成されるようになる。
【００７２】
ケーシング２０の先端側で高温に晒された一部のバイオマスが熱分解されても、バイオマスはそれほど圧密化されていないため、熱分解により生じたタールが周囲のバイオマスに浸潤するまでに炉内に搬送されるようになる。また、一部のバイオマスが水蒸気に濡れてケーシング２０に付着しても、スクリュー羽根により炉内に搬送されるようになる。
【００７３】
スクリュー羽根２１の支軸２ｃがスクリュー羽根２１の軸方向長さより短く構成され、スクリュー羽根２１の先端側に支軸２ｃが欠如したシャフトレス部２ｅが形成されている。
【００７４】
そのため、スクリュー羽根２１の支軸２ｃは高温に晒され難くなり、支軸２ｃに特段の冷却機構を設ける必要がなくなる。また支軸２ｃは伝熱により周囲の雰囲気より冷たくなるので、反応塔４の近くまで来ると結露やタール付着の虞があるが、シャフトレス部２ｅを設けることで付着面積も減り、結露やタール付着の虞が低減する。もし、スクリュー羽根２１に冷却機構を設ける場合でも支軸２ｃが短くなり冷却機構の負荷を低減できるようになる。ケーシング２０の先端側ではスクリュー羽根２１の支軸２ｃがないため、ケーシング２０の先端側ではバイオマスが搬送されるケーシング２０の空間がより一層広くなる。そのため、バイオマスの圧密化がさらに低減されるようになる。
【００７５】
スクリュー羽根２１の先端が炉壁の内壁近傍まで延出形成されている。そのため、仮にケーシング２０の内壁に搬送中のバイオマスの熱分解によって発生したタールが付着しても、そのまま固化することなくスクリュー羽根２１の外周部及び搬送中のバイオマスにより掻き落とされてバイオマスとともに炉内に搬送される。スクリュー羽根２１の先端が炉壁の内側に突出形成されていると、さらに確実にケーシング２０の内壁をクリーニングできるようになる。しかし、突出形成されたスクリュー羽根２１は５００℃を超える温度にさらされるため損傷の虞が高く、内壁近傍までの延出がより良いのである。
【００７６】
図６（ｂ）に示すように、スクリュー羽根２１のピッチが基端側と比較して中間部２ｉで短くなり先端側で長くなるように構成してもよい。ケーシング２０の基端側のピッチ短縮部２ｊでは、ケーシング２０の基端側から先端側に向けて、ピッチが次第に短くなっている。一方、ケーシング２０の先端側のシャフトレス部２ｅやピッチ延長部２ｈでは、ケーシング２０の基端側から先端側に向けて、ピッチが次第に長くなっている。
【００７７】
これにより、ケーシング２０内を移動するバイオマスの充填率は、ケーシング２０の先端側で小さくなり、それにより、ケーシング２０の先端側の圧密にされないバイオマスは、ケーシング２０に凝集付着しにくくなり、安定して炉内に供給することができるようになる。さらに、ケーシング２０の中間部２ｉのバイオマスの充填率は、基端側のそれより大きくなるため、シール効果が増し、ガス化炉１内への外気の流入や、ガス化炉１内のガス化剤の逆流を抑制することができる。
【００７８】
図６（ｃ）に示すように、搬送方向に沿ってケーシング２０及びスクリュー羽根２１の径が基端側と比較して先端側で大きくなるように構成してもよい。
【００７９】
この構成によれば、ケーシング２０内を搬送されるバイオマスの充填率を、スクリュー羽根のピッチを変えることなくケーシング２０の基端側より先端側で小さくすることが可能である。それにより、ケーシング２０の基端側で、圧密のバイオマスによりシール性が確保されると同時に、ケーシング２０の先端側の圧密にされないバイオマスが、タール等により凝集しケーシング２０に付着しにくくなり、バイオマスを炉内に安定して供給することができるようになる。
【００８０】
炉壁の外側は断熱材で覆われている。スクリュー羽根２１のうち少なくとも支軸２ｃより先端側であるシャフトレス部２ｅが断熱材に覆われるように構成してもよい。
【００８１】
こうすることで、スクリュー羽根２１の支軸２ｃは高温になりにくくなり、それによって、スクリュー羽根２１の劣化を抑制できる。また、スクリュー羽２１の支軸２ｃが断熱材に覆われないので支軸２ｃに冷却機構を設ける場合も冷却機構の負荷を低減できるようになる。冷却機構としては、支軸２ｃやスクリュー羽根２１に冷却水や冷却風等を通す方法がある。
【００８２】
図３に示すように、上述したガス化炉１０で進行するバイオマスのガス化プロセスを管理して制御するプロセス制御部６０がさらに設けられている。プロセス制御部６０は汎用コンピュータと、汎用コンピュータにインストールされた制御プログラムと、拡張ボードを備えて構成されている。拡張ボードには第１領域Ｒ１に設置された第１温度センサＳ３、第２領域Ｒ２に設置された第２温度センサＳ４、排気管４２に設置された水素ガスセンサＳ１及び一酸化炭素ガスセンサＳ２からの検出信号が入力される入力回路、バイオマス供給装置２のスクリュー羽根２１を回転制御するモータへの駆動信号、水蒸気源から水蒸気供給部３に供給される水蒸気流量を調整する制御バルブＶ１、酸素ガス源から各酸素ガス供給部５（５ａ，５ｂ，５ｃ）へ供給される酸素ガス量を調整する制御バルブＶａ，Ｖｂ，Ｖｃの開度調整信号が出力される出力回路が設けられている。
【００８３】
プロセス制御部６０には、各酸素ガス供給部５（５ａ，５ｂ，５ｃ）から供給される酸素ガスの供給量を個別に調整制御する供給量調整機構５０が組み込まれている。供給量調整機構５０は、反応塔４から流出するガスの組成を測定する水素ガスセンサＳ１及び一酸化炭素ガスセンサＳ２からの検出信号に基づいて、ガス組成が目標ガス組成になるように、つまり水素と一酸化炭素の比率Ｈ２／ＣＯが所望の比率になるように、酸素ガス供給部５から第１領域Ｒ１及び第２領域Ｒ２の夫々に供給する酸素ガスの供給量を調整するように構成されている。
【００８４】
図４（ａ）に示すように、第１領域Ｒ１に備えた第１酸素ガス供給部５ａから供給される酸素ガスは、水性ガス反応により低下する温度を補償するために主にバイオマスの燃焼つまり固体炭素の燃焼に費やされる。その結果発生する燃焼温度により環境温度が上昇して水性ガス反応が促進されるが、固体炭素の燃焼により発生する一酸化炭素ＣＯ及び二酸化炭素ＣＯ２濃度も上昇するため、相対的に水素と一酸化炭素の比率Ｈ２／ＣＯが小さくなる。この傾向は第１酸素ガス供給部５ａからの酸素の供給量を増すほど強くなる。
【００８５】
第１領域Ｒ１の下流側に備えた第２酸素ガス供給部５ｂから供給される酸素ガスは、上流側で生じた水性ガス反応により低下する温度を補償するために供給される。第１酸素ガス供給部５ａから供給される酸素ガスと同様のメカニズムが働くが、既に水性ガス反応で生じた一酸化炭素と水蒸気との間で生じる水性ガスシフト反応もある程度促進される。つまり、第２酸素ガス供給部５ｂから供給される酸素ガス供給量により固体炭素の燃焼と水性ガスシフト反応との間のバランスが調整される。
【００８６】
図４（ｂ）に示すように、第２領域Ｒ２に備えた第３酸素ガス供給部５ｃから供給される酸素ガスは、主に第１領域Ｒ１で行われた水性ガス反応で生じた一酸化炭素ＣＯ、または燃焼反応で生じた一酸化炭素ＣＯの燃焼や水性ガスシフト反応に費やされる。その結果、環境温度が上昇して水性ガスシフト反応が促進される。結果、水素ガスＨ２濃度が上昇するため、相対的に水素と一酸化炭素の比率Ｈ２／ＣＯが大きくなる。この傾向は酸素の供給量を増すほど強くなる。
【００８７】
図４（ｃ）に示すように、３系統の酸素ガス供給部５（５ａ，５ｂ，５ｃ）から供給される酸素ガス量を調整することにより、水素と一酸化炭素の比率Ｈ２／ＣＯを所望の比率に調整できるようになる。
【００８８】
尚、図４（ａ），（ｂ），（ｃ）に示すガス組成を囲み円の面積は、生成されるガスの概略の比率が示されている。
【００８９】
図４（ｄ）には、上述したガス化炉１０を用いて３系統の酸素ガス供給部５（５ａ，５ｂ，５ｃ）から供給される酸素ガス量を様々に調整して操炉した結果、生成されたガスの種類及びその量が示されている。
【００９０】
ＲｕｎＮｏ．１はガス化炉１０への供給酸素ガスの総量一定の下で、各ガス供給部へ均等比率で供給した結果が示され、ＲｕｎＮｏ．２は供給酸素ガスの総量一定の下で、第３ガス供給部５ｃへの供給量を相対的に増加するように供給した結果が示され、ＲｕｎＮｏ．３は供給酸素ガスの総量一定の下で、第２ガス供給部５ｂへの供給量を相対的に増加するように供給した結果が示され、ＲｕｎＮｏ．４は供給酸素ガスの総量一定の下で、第１ガス供給部５ａへの供給量を相対的に増加するように供給した結果が示されている。
【００９１】
水素と一酸化炭素の比率Ｈ２／ＣＯに注目すると、第３ガス供給部５ｃへの供給量を相対的に多くしたＲｕｎＮｏ．２では、均等に供給したＲｕｎＮｏ．１に比べて比率Ｈ２／ＣＯが大きくなり、第１ガス供給部５ａへの供給量を相対的に多くしたＲｕｎＮｏ．４では、均等に供給したＲｕｎＮｏ．１に比べて比率Ｈ２／ＣＯが小さくなることが確認され、第２ガス供給部５ｂへの供給量を相対的に多くしたＲｕｎＮｏ．３では、均等に供給したＲｕｎＮｏ．１に比べて比率Ｈ２／ＣＯが小さくなり、ＲｕｎＮｏ．４と同様の傾向が表れることが確認できる。
【００９２】
つまり、供給量調整機構５０は、測定されたガス組成が目標ガス組成になるように、酸素ガス供給部５から供給される酸素ガスの総量を一定に維持しながら、第１領域及び第２領域の夫々に供給する供給量の比率を調整するように構成されている。
【００９３】
具体的には、第２領域Ｒ２への酸素ガス供給量を増やすとＨ２を相対的に増やすことができ、第１領域Ｒ１への酸素ガス供給量、さらに言えば、第１領域Ｒ１の上流側への酸素ガス供給量を増やすとＣＯを相対的に増やすことができる。
【００９４】
例えば、バイオマスの組成や含水率に基づいて、反応塔４内を水性ガス反応及び水性ガスシフト反応を促進するために必要な環境温度に維持するために必要な入熱量を算出して、その入熱量が領域Ｒ１，Ｒ２毎にバイオマスの燃焼熱及び／または一酸化炭素の燃焼熱で得られるように酸素ガスの総量を定め、定めた総量を一定に維持しながら、第１領域及び第２領域の夫々に供給する供給量の比率を調整するのである。
【００９５】
本発明によるガス化炉１０に備えた供給量調整機構５０は、上述した制御態様以外に第１温度センサＳ３及び第２温度センサＳ４により検出される第１領域Ｒ１及び／または第２領域Ｒ２の温度が所定の環境温度になるように各酸素ガス供給部５（５ａ，５ｂ，５ｃ）から供給される酸素ガス量を調整することも可能である。この場合も、水素ガスセンサＳ１、一酸化炭素ガスセンサＳ２で測定されたガス組成が目標ガス組成になるように各酸素ガス供給部５（５ａ，５ｂ，５ｃ）から供給される酸素ガス量が調整されることが前提となる。
【００９６】
尚、温度センサやガスセンサは数を増やすことで、より精度良く酸素ガス量の調整が可能になり、温度や水素、一酸化炭素と比率の調整も精度良くできるようになる。
【００９７】
プロセス制御部６０は、供給量調整機構５０によりガス組成が目標ガス組成になるように制御できない場合や、ガス組成が目標ガス組成になってもガス量が低下するような場合に、バイオマス供給装置２から供給されるバイオマスの供給量及び／または水蒸気供給部３から供給される水蒸気供給量を増減調整するように構成されている。
【００９８】
そして、供給量調整機構５０はバイオマスの供給量及び／または水蒸気供給量の変動に基づいて必要な酸素ガス供給量や供給量の比率を調整するように構成されている。
【００９９】
本発明によるガス化炉を用いると、各酸素ガス供給部５（５ａ，５ｂ，５ｃ）から供給される酸素ガス量を調整することにより、水素と一酸化炭素の比率Ｈ２／ＣＯが約２の合成ガスや、水素と一酸化炭素の比率Ｈ２／ＣＯが約１の合成ガスが得られるようになる。
【０１００】
以下、本発明によるガス化炉の別実施形態を説明する。
上述した実施形態では反応塔４が縦型円筒形状に構成された例を説明したが、反応塔４が縦型であれば楕円筒状であっても角筒状であってもよい。
【０１０１】
上述した実施形態では連通部４３に形成されたガス流速調整部ｃとなる拡径部に、第１領域Ｒ１から第２領域Ｒ２に次第に拡径するテーパー部を形成しているが、テーパー部の角度は鈍角に形成されることが好ましい。急激に拡径すると剥離流が生じて段差部に灰等が蓄積されて流速の低下が妨げられる虞があるためである。
【０１０２】
上述した実施形態は、噴流床式のガス化炉について説明したが、流動床式のガス化炉に適用することも可能である。また、噴流床式のガス化炉であっても噴流床に僅かに珪砂やセラミック粒子を混入し、噴流床でバイオマスが破砕されるように構成することで水性ガス反応が促進されるようになる。
【０１０３】
上述した実施形態では、外部熱源であるヒータを炉の立上げ時に使用する例を説明したが、水性ガス反応を促進するために外部熱源であるヒータを使用してもよい。この場合でも酸素ガス供給部を備えることにより、ヒータに要する電力コストは大幅に低減できる。
【０１０４】
尚、外部熱源であるヒータ等外部から追加のエネルギー投入を無くし、バイオマスのみでガス化炉の運転ができるのがより良い形態である。
【０１０５】
上述した実施形態では、ガス供給機構５が３系統で構成された例を説明したが、図１に破線で示したように、さらに別系統のガス供給機構５ｄを備えてもよい。このようなガス供給機構５ｄは第１領域Ｒ１のみならず第２領域Ｒ２に備えてもよい。ガス供給機構を増やすことで、より細かな反応塔４内の温度調整と水素と一酸化炭素の成分比の制御が可能になる。
【０１０６】
上述した実施形態では、第１及び第２ガス供給機能５ａ，５ｂから酸素ガスが反応塔４の周壁の一か所から垂直に供給され、第３ガス供給機能５ｃから酸素ガスが反応塔４の周壁の一か所から斜め下方に供給される態様を説明したが、このような態様に限るものではない。
【０１０７】
例えば、図５（ａ）に示すように、ガス供給機構５に反応塔４を囲繞するようにヘッダー管５０を備え、ヘッダー管５０に形成された複数のガス供給管５１から反応塔４の内壁に沿って供給して旋回流を生起させる向きに供給するように構成してもよいし、図５（ｂ）に示すように、複数のガス供給管５１から反応塔４の中心に向けて衝突する向きに供給するように構成してもよい。
【０１０８】
また、図５（ｃ），（ｄ）に示すように、反応塔４の軸心方向に対して下方または上方に向けて供給するように構成してもよい。図５（ｃ）の態様は、図１に示した第３ガス供給機能５ｃと同じであるが、これと図５（ａ），（ｂ）で示した態様とを組み合わせてもよい。図５（ｄ）の態様も同様であり、特に第１ガス供給機能５ａに好適な態様となる。
【０１０９】
ガス供給機構５から供給される酸素ガスは純度の高い酸素ガス以外に、例えば大気に酸素を加えた酸素富化ガスを用いることも可能である。
【０１１０】
上述した実施形態では、水蒸気は常圧での過熱水蒸気を用いる例を説明したが、加圧水蒸気でもよく、飽和水蒸気でもよい。尚、上述したような常圧の反応塔の場合は、常圧の過熱水蒸気が反応塔の内部での水蒸気の膨張や水蒸気製造のコストを考えると良い。
【０１１１】
上述した実施形態では、反応塔４の内部が一律に５００℃以上に維持される態様を説明したが、水性ガス反応と水性ガスシフト反応それぞれで必要な温度に合わせ、反応塔４内に温度分布を持たせるように、つまり主に水性ガス反応が行なわれる第１領域Ｒ１と主に水性ガスシフト反応が行なわれる第２領域Ｒ２で異なる温度分布になるように構成してもよい。このようにすると各反応に必要な温度が確保できるとともにエネルギーの消費を抑えることができる。
【０１１２】
上述した実施形態では、バイオマスを原料にして合成ガスを生成して液体燃料を合成するシステムを説明したが、ガス化炉で精製された合成ガスはガス燃料として発電等に利用でき、合成ガスの利用方法などはどのようなものであってもよい。
【０１１３】
上述した実施形態では、排気口４０を第２領域である反応塔４の上部の空間に繋がる反応塔４の頂部に備えた例を説明したが、排気口４０は第２領域に繋がっていればよく、例えば反応塔４の上部側方に設けてもよい。
【０１１４】
上述した実施形態では、原料となるバイオマスとして稲わら、もみ殻、麦わら、トウモロコシの茎葉等の乾燥系のバイオマスを用いる例を説明したが、木くず、バーク、竹等を用いることも可能である。ちなみに、もみ殻は比重約０．１、含水率約１０％、バークは比重約０．６、含水率約６０％、竹は比重約０．７、含水率約２５％であり、様々な性状のバイオマスに対応できる。
【０１１５】
上述した実施形態では、ガス化炉から発生するチャーはガス化炉内で水性ガス反応に利用されるのであるが、図８に示すように、ガス化１０炉から発生するチャーをサイクロン等からなるチャー分離装置２０１で分離し、分離したチャーを燃料に用いた燃焼炉２０２で温水を発生させ、その温水を合成ガスの保有熱で加熱して蒸気を生成する廃熱ボイラ２０３を設けて、得られた水蒸気をガス化炉１０に利用する等、システム全体としてエネルギー効率を向上するようにしてもよい。尚、符号２０４はガス精製装置であり、符号２０５は発電装置またはＦＴ合成装置等を示す。
【０１１６】
上述した様々な実施形態は、本発明によるガス化炉の一具体例を説明したに過ぎず、当該記載により本発明の範囲が限定されるものではなく、各部の具体的構成は本発明の作用効果が奏される範囲で適宜変更設計可能であることはいうまでもない。
【符号の説明】
【０１１７】
１：ガス化炉
２：バイオマス供給装置
２ｃ：支軸
２ｄ：電動モータ
２ｅ：シャフトレス部
２ｈ：ピッチ延長部
２ｉ：中間部
２ｊ：ピッチ短縮部
３：水蒸気供給部
４：反応塔
５：酸素ガス供給部
５ａ：第１酸素ガス供給部
５ｂ：第２酸素ガス供給部
５ｃ：第３酸素ガス供給部
１０：ガス化炉
２０：筒状のケーシング
２１：スクリュー羽根
４０：排気口
４３：連通部
１０１：サイクロン
１０２：スクラバー
１０３：活性炭吸着塔
１０４：ＦＴ合成装置
ｃ：ガス流速調整部
Ｈ：ヒータ
Ｒ１：第１領域
Ｒ２：第２領域
【図１】
0006552857.tif 000002
【図２】
0006552857.tif 000003
【図３】
0006552857.tif 000004
【図４】
0006552857.tif 000005
【図５】
0006552857.tif 000006
【図６】
0006552857.tif 000007
【図７】
0006552857.tif 000008
【図８】
0006552857.tif 000009